(57)【要約】【課題】物品の収納機能を持たせた便利なデスクマットを提供する。【解決手段】透明な塩化ビニル製のデスクマット１０を被覆部１１と、垂下部１２とから構成する。被覆部１１は、２枚のシートの両側縁同士を圧着したシート状体の裏面に、ミクロ吸盤素材のテープ１１ｃを貼り付けて形成されており、垂下部１２は、シート１２ａに、収納ポケット１２ｂと長円形の孔１２ｃを設けて形成されている。文房具３０等の机周りで使用頻度の高い物品を収納ポケット１２ｂに収納すると取り出し容易である。また被覆部１１にはキャラクター印刷物４０を挟み込んでおくと見た目に面白い。このデスクマット１０を天板昇降式ワゴン２０に用いる際には、孔１２ｃから手を通して容易にワゴン２０の天板２１を上下させることができる。【選択図】図２
0003115089.tif 000002
【実用新案登録請求の範囲】
【請求項１】
可撓性合成樹脂からなり、デスク天板２１を覆う被覆部１１と、デスク天板２１から垂れ下げる収納ポケット１２ｂを設けた垂下部１２とを有するデスクマット。
【請求項２】
上記被覆部１１にデスク天板２１への固定手段を設けた請求項１に記載のデスクマット。
【請求項３】
上記固定手段は、被覆部１１裏面に貼付したミクロ吸盤テープ１１ｃである請求項２に記載のデスクマット。
【請求項４】
上記垂下部１２に手を差し込むことのできる孔１２ｃを設けた請求項１から３のいずれかに記載のデスクマット。
【請求項５】
上記被覆部１１は２枚の可撓性合成樹脂シート１１ａ，１１ｂを重ね合わせ、これらの側縁又は端縁同士を結合した請求項１から４のいずれかに記載のデスクマット。
【請求項６】
上記被覆部１１にキャラクター印刷物４０を挟み込んだ請求項５に記載のデスクマット。
【請求項７】
透明の合成樹脂からなる請求項１から６のいずれかに記載のデスクマット。
【考案の詳細な説明】
【技術分野】
【０００１】
この考案は、デスクマット、特に学習机に付属される天板昇降式ワゴンに用いるのに好適なデスクマットに関する。
【背景技術】
【０００２】
机に向かい作業を行う際には文房具等の物品が必須であるが、使用頻度の高い物品を机の天板上に置くと作業スペースが狭くなり、机の引き出しに収納すると再度取り出すのが面倒であり、どちらにしても不便であった。
【０００３】
一方、デスクマットはデスクの天板を覆い、天板が汚れたり傷ついたりするのを防止するためよく用いられているが、特許文献１に記載のように、従来のデスクマットには天板を覆う以外の用途が無かった。
【０００４】
そこで、デスクマットの、天板の作業スペースを狭めない部分に、物品の収納機能を持たせ、しかもそれを取り出し容易に構成すると、上記問題が解決し便利である。
【特許文献１】特開２００５−６２９号公報
【考案の開示】
【考案が解決しようとする課題】
【０００５】
この考案の解決すべき課題は、物品の収納機能を持たせた便利なデスクマットを提供することである。
【課題を解決するための手段】
【０００６】
上記した問題を解決するため、この考案は、可撓性合成樹脂のシート状体のデスクマットを、デスク天板を覆う被覆部と、デスク天板から垂れ下がり、収納ポケットが設けられた垂下部とから構成したのである。
【０００７】
デスクマットに収納ポケットを設けたことにより、文房具等の机周りで使用頻度の高い物品を取り出し容易に収納することができる。しかも、収納ポケットはデスク天板から垂れ下がる垂下部に設けられているため、天板上の作業スペースが狭くなることもない。
【０００８】
被覆部にデスク天板への固定手段を設けると、収納ポケットに物品を収納した重みで、デスクマットがずれ落ちるのを防止することができる。
【０００９】
固定手段を被覆部裏面に貼付したミクロ吸盤テープとすると、このデスクマットの天板への脱着が容易となり、また、粘着テープなどと異なり天板をいためる心配もない。ここで、ミクロ吸盤とは、微細な陥没穴であって、物品表面に押し付けると、陥没穴内部の空気が抜けて陰圧となることで吸盤作用を示すものである。
【００１０】
垂下部に手を差し込むことのできる孔を設けると、このデスクマットを天板昇降式ワゴンに用いた際に、この孔から手を差し込んで天板の昇降操作を行うことができるため、垂下部が昇降操作の障害となることはない。
【００１１】
被覆部を２枚の可撓性合成樹脂シートを重ね合わせ、これらの側縁又は端縁同士を結合して形成すると、被覆部にメモや印刷物等を挟むことができる。
【００１２】
被覆部にキャラクター印刷物を挟み込むと、見た目に面白く、需要者の購買意欲を喚起することができる。
【００１３】
デスクマットを透明の素材から形成すると、収納ポケットや被覆部に挟んだ内容物を外部から一見して把握することができる。
【考案の効果】
【００１４】
デスクマットの垂下部に収納ポケットを設けることにより、文房具等の机周りで使用頻度の高い物品を、作業の邪魔になることなく、しかも取り出し容易に収納することができる。
【考案を実施するための最良の形態】
【００１５】
以下、図面を参照しつつこの考案の実施形態について説明する。
【００１６】
図１(ａ)のように、考案にかかるデスクマット１０は、平面視方形の透明な塩化ビニル製のシート状体であって、被覆部１１と、垂下部１２とからなる。
【００１７】
図１(ａ)、(ｂ)のように、被覆部１１は、同形同寸法の方形の透明な塩化ビニル製のシート１１ａ、１１ｂの両側縁同士を加圧圧着したシート状体の裏面に、ミクロ吸盤素材のテープ１１ｃを貼り付けて形成されている。
【００１８】
図１(ａ)のように、垂下部１２は、方形の透明な塩化ビニル製のシート１２ａ表面に、シート１２ａより寸法の小さい透明な塩化ビニル製のシートの両側縁等を加圧圧着することで、収納ポケット１２ｂが２つ形成されている。また、シート１２ａには、長円形の孔１２ｃが設けられている。  
【００１９】
このデスクマット１０は、様々なデスクに使用可能であるが、特に、学習机に付属される天板昇降式のワゴン２０に用いるのに好適である。
【００２０】
すなわち、図２(ａ)のように、デスクマット１０の被覆部１１をワゴン２０の天板２１にテープ１１ｃで接着し、垂下部１２をワゴン２０側面に垂れ下げ、収納ポケット１２ｂに文房具３０等を収納して用いる。
【００２１】
このとき、収納した文房具３０の重みでデスクマット１０は下方に引っ張られるが、テープ１１ｃで接着されているためワゴン２０からずれ落ちる心配はない。なお、ミクロ吸盤テープ１１ｃに替えて、粘着テープ、通常の吸盤など他の公知の固定手段を用いても構わない。  
【００２２】
ワゴン２０の天板２１を上下させたい時には、図２(ｂ)のように、デスクマット１０の孔１２ｃから手を入れて天板２１を操作すれば、デスクマット１０が操作の邪魔にならない。
【００２３】
被覆部１１は、上述のようにシート１１ａ、１１ｂを重ね合わせ、側縁を圧着したものであるから、紙片等を挟み込むことができる。そこで、図２(ｃ)のように、キャラクター印刷物４０を挟み込んでおくと見た目に面白い。
【００２４】
なお、デスクマット１０の被覆部１１を、ワゴン２０の天板２１にほぼ対応するサイズにしておくと、過不足なく天板２１を覆うため使い勝手がよい。
【図面の簡単な説明】
【００２５】
【図１】(ａ)はデスクマットの平面図、(ｂ)は(ａ)のＡ−Ａ断面図
【図２】(ａ)はデスクマットを天板昇降式ワゴンに被せた斜視図、(ｂ)はワゴンの天板を昇降動作させる図、(ｃ)は被覆部にキャラクター印刷物を挟み込んだ平面図
【符号の説明】
【００２６】
１０  デスクマット
１１  被覆部
１１ａ、１１ｂ  シート
１１ｃ  テープ
１２  垂下部
１２ａ  シート
１２ｂ  収納ポケット
１２ｃ  孔
２０  ワゴン
２１  天板
３０  文房具
４０  キャラクター印刷物
【図１】
0003115089.tif 000003
【図２】
0003115089.tif 000004